(57)【要約】      （修正有）【課題】１台でウォーターピーリング機能による美容トリートメントとローラーマッサージ機能による美容トリートメントが行えるような複合美容装置を提供する。【解決手段】共通のボディ部４の両端に第一刺激付与部２と第一刺激付与部とは種類の異なる第二刺激付与部３を配置し、第一刺激付与部２は超音波、イオン導入、イオン導出、低周波電気、中周波電気、高周波電気のうち１種類から複数種類の組み合わせを出力させる振動体であって、第二刺激付与部３はマイクロカレント、低周波、中周波、複合周波電流のうちの１種類から複数種類を流す回転式美容ローラーが１個または複数個が設けられる。【選択図】図１
0003225952.tif 000002
【実用新案登録請求の範囲】
【請求項１】
肌に付与する第一刺激付与部と第一刺激付与部とは種類の異なる第二刺激付与部を有し、第一刺激付与部と第二刺激付与部は共通の把持可能なボディ部の両端に配置され、第一刺激付与部には超音波による肌へのウォーターピーリング処理及び導入処理、低周波、中周波、高周波電気による肌への処理、イオンによる肌への処理のうち、１種類から複数種類の組み合わせを備え、第二刺激付与部には低周波、中周波、複合周波、マイクロカレントの１種類または複数種類の電流の流れる回転式の美容ローラーが１個または複数個が配置されることを特徴とする複合美容装置。
【考案の詳細な説明】
【技術分野】
【０００１】  本考案は、複合機能を備えるハンディタイプ用の美容装置に関するものである。
【背景技術】
【０００２】  従来、肌の表面に刺激を与えることによって美容効果をもたらす手段として、超音波を利用するウォーターピーリング処理や導入処理、ＬＥＤ照射によるフォトケア、イオンによる美容処理、マッサージ法、電圧を印加する電気療法（低周波療法、中周波療法、高周波療法、干渉波療法、複合周波療法が含まれる）による美容処理など多種多様で、これらの方法を応用する各種のハンディタイプの美容装置は開発されてきている。また、複数の機能を備える美容装置が求められている。例えば、特許文献１では、振動板を超音波振動させて肌面の汚れを除去するものとミストを吹き付けるもの、つまり、超音波振動によるウォーターピーリング処理と超音波振動による液体のミスト化処理を一体化させる美容装置を提供している。【０００３】  また、近年振動板を超音波振動させて、皮膚の老廃物や毛穴の汚れを除去するウォーターピーリング機能に、マイナスイオンを使用して美容成分を浸透させる機能、低周波電気を流し筋肉に刺激を与える機能を加え、複数の機能を有するウォーターピーリング美容装置が開発されてきた。【０００４】  一方、マッサージ法は古くから盛んに使われていた美容法の一つで、肌の新陳代謝や血行を促進し、リンパの流れを良くするなどの効果があると言われている。そして、近年いつでもどこでも自らマッサージを行うため美容ローラーが数多く提供されている。【０００５】  また、ローラーを電極にして高周波の電流を流して筋肉や神経を刺激し、電流で生成された振動効果を利用し、血液やリンパ液の流れを良い循環に導き、筋肉の張りを解消することによるたるみやシワの改善などの効果を実現する美容ローラーが開発された。例えば、特許文献２では、高周波電流を印加することのできる美容ローラーを開示している。
【先行技術文献】
【特許文献】
【０００６】
【特許文献１】特開２０１４−２３７０８号  公報
【特許文献２】特開２０１７−１２４１２４号  公報
【考案の概要】
【考案が解決しようとする課題】
【０００７】  しかしながら、従来の美容装置では、ウォーターピーリング機能とローラーマッサージ機能を同時に備えるものがなかったため、ウォーターピーリング機能とローラーマッサージ機能によるトリートメントを実施するには、それぞれの美容装置を購入する必要があった。【０００８】  そこで、本考案は、１台でウォーターピーリング機能による美容トリートメントとローラーマッサージ機能による美容トリートメントが行えるようにしたローラーマッサージ機能付きウォーターピーリング美容装置を提供することを目的としたものである。
【課題を解決するための手段】
【０００９】  上記の目的を達成するため、本考案の請求項１による複合美容装置は、肌に付与する第一刺激付与部と第一刺激付与部とは種類の異なる第二刺激付与部を有し、第一刺激付与部と第二刺激付与部は共通の把持可能なボディ部の両端に配置され、第一刺激付与部には超音波による肌へのウォーターピーリング処理及び導入処理、低周波、中周波、高周波電気による肌への処理、イオンによる肌への処理のうち、１種類から複数種類の組み合わせを備え、第二刺激付与部には低周波、中周波、複合周波、マイクロカレントの１種類または複数種類の電流を流れる回転式の美容ローラーが１個または複数個が配置されることを特徴とする。【００１０】  上記構成を有する本考案の複合美容装置は、超音波によるウォーターピーリング処理及び導入処理、イオンによる肌への処理、低周波、中周波、高周波電気による肌への処理のうち、１種類から複数種類の組み合わせを有する第一刺激付与部とマイクロカレント、低周波、中周波、複合周波電流を流れる回転式の美容ローラーになっている第二刺激付与部を共通の把持可能なボディ部の両端に配置することによって１台でウォーターピーリング機能による美容トリートメントとローラーマッサージ機能による美容トリートメントを提供する目的を達成する。
【考案の効果】
【００１１】  以上説明したように本考案によれば、１台の美容装置で超音波処理によるウォーターピーリングトリートメント及び導入トリートメント、イオン処理による美容トリートメント、電気療法によるトリートメント、さらにマイクロカレント、低周波または中周波または複合周波電流のうちの１種類またはそれらの２種類以上の組み合わせを流れる回転式ローラーによる美容トリートメントを実施することができるようになり、使用者は用途に応じて選択して使用することが可能になり、経済性と利便性が大きく向上する。【００１２】  また、美容ローラーでマッサージしたあと、血行とリンパの流れが促進された状態でイオン処理による美容トリートメントを行うと、美容成分の浸透はより一層高まり、各種トリートメントの相乗効果は期待できる。【００１３】  また、本考案のローラーマッサージ機能付きウォーターピーリング美容装置は顔だけではなく、美容ローラーは顔以外の体にも使用することができ、美容装置としての使用範囲を拡大した。
【図面の簡単な説明】
【００１４】
【図１】本考案に係る複合美容装置の第１の実施例のキャップを外した状態の外観図である。
【図２】本考案に係る複合美容装置の第２の実施形態を示す正面図である。
【図３】本考案に係る複合美容装置の使用方法の１例を示す説明図である。
【考案を実施するための形態】
【００１５】  以下、本考案の実施形態を、図面に示す実施例を基に説明する。なお、実施形態は下記に限定されるものではない。
【実施例１】
【００１６】  図１に示すように、実施例１に係る複合美容装置１は、第一刺激付与部２、第二刺激付与部３、使用者が片手で把持できるようにデザインされたボディ部４、第一刺激付与部を保護するためのキャップ５から構成される。なお、第一刺激付与部２と第二刺激付与部３はそれぞれ共通のボディ４の両端に配置される。【００１７】  第一刺激付与部２は超音波、イオン導入、イオン導出、低周波電気を出力させる振動体である。【００１８】  第二刺激付与部３は２個の中周波電流及びマイクロカレント電流を流す回転式美容ローラーである。【００１９】  ボディ部４には、操作部６、導電材７、充電口８、モード表示ランプ９、強度表示ランプ１０が設けられている。【００２０】  操作部６は電源ボタン、モード選択ボタン、強度選択ボタンが設けられており、これらのボタンは一つの操作ボタンで兼ねることができる。また、それぞれ個別に設置しても良い。【００２１】  操作ボタンを押して選択されたモード及び強度はボディ部４に設けられたモード表示ランプ９と強度表示ランプ１０によって確認することができる。モード表示ランプ９には、ウォーターピーリング機能、導入機能、低周波電気機能、中周波電流ローラーマッサージ機能、マイクロカレントローラーマッサージ機能が割り当てられている。なお、この各モード表示ランプへの機能の割り当ては、一例であって、必要とする機能に応じて任意に機能の割り当てを行えばよい。強度表示ランプ１０には、低、中、高の強さレベルが割り当てられている。なお、この強度表示ランプへの強さのレベルの割り当ては、一例であって、必要とする強さレベルに応じて任意に割り当てを行えばよい。
【実施例２】
【００２２】  次に、図２を用いて本考案に係る複合美容装置の第２の実施形態について説明する。【００２３】  実施例２に係る複合美容装置１は、実施例１と同様に、第一刺激付与部２、第二刺激付与部３、使用者が片手で把持できるようにデザインされたボディ４、第一刺激付与部を保護するためのキャプ５から構成される。なお、第一刺激付与部２と第二刺激付与部３はそれぞれ共通のボディ部４の両端に配置される。【００２４】  実施例２に係る複合美容装置１は実施例１と異なるところは、第一刺激付与部２は超音波、中周波電気を出力させる振動体であり、第二刺激付与部３は２個の低周波電流を流す回転式美容ローラーである。また、モード表示ランプ９には、ウォーターピーリング機能、導入機能、中周波電気機能、ローラーマッサージ機能が割り当てられている。なお、この各モード表示ランプへの機能の割り当ては、一例であって、必要とする機能に応じて任意に機能の割り当てを行えばよい。これら以外の構成は実施例１の構成とは同一であるから重複する説明は省略する。【００２５】  次に、図３を用いて本考案に係る複合美容装置の使用方法を説明する。なお、実施例１と実施例２の使用方法は共通である。【００２６】  図３（Ａ）は第一刺激付与部２を顔に当接させ使用する状況を示す説明図である。使用者は、操作部６にある電源ボダンを長押し、電源をｏｎにした後、モード選択ボタンと強度選択ボタンを押し、モードと強度を選択し、ボディ部４を手Ａで握り、第一刺激付与部２を顔Ｂに当接させ動作Ｃ１示すように移動させながらトリートメントを行う。【００２７】  図３（Ｂ）は第二刺激付与部３を顔に当接させ使用する状況を示す説明図である。使用者は、操作部６にある電源ボダンを長押し、電源をｏｎにした後、モード選択ボタンと強度選択ボタンを押し、モードと強度を選択し、ボディ部４を手Ａで握り、第二刺激付与部３を顔Ｂに当接させ動作Ｃ２示すように移動させながらトリートメントを行う。また、体に当接させ使用した場合の使用方法は上述と同一であるから重複する説明は省略する。【００２８】  以上述べたように、本考案に係る複合美容装置は、超音波によるウォーターピーリング及び導入、イオン導入、イオン導出、電気療法による美容処理、ローラーマッサージといった複数の機能を一体化した複合美容装置である。顔だけではなく、顔以外の体にも使用でき、高い利便性と経済性を有する。また、各種機能の相乗効果によって美容効果の向上にも繋がる。
【産業上の利用可能性】
【００２９】  本考案は、主として人体の顔や体の美容処理として用いられる複合美容装置で、一台で複数の美容機能を実現することで、実用上極めて有用性の高いものである。
【符号の説明】
【００３０】  １  複合美容装置
２  第一刺激付与部
３  第二刺激付与部
４  ボディ部
５  キャップ
６  操作部
７  導電材
８  充電口
９  モード表示ランプ
１０  強さ表示ランプ
Ａ  手
Ｂ  顔
Ｃ１  動作
Ｃ２  動作
【図１】
0003225952.tif 000003
【図２】
0003225952.tif 000004
【図３】
0003225952.tif 000005